(57)【要約】【課題】シャッタをシェルに対して回動させて記録再生用の開口部等を開閉するタイプの記録媒体カートリッジにおいて、シャッタを記録再生用の開口部等を閉じた状態に確実に維持する。【解決手段】記録媒体カートリッジ１は、シェル２内に、ディスク３と、インナーロータ４と、シャッタ５と、を収納している。インナーロータ４は、コイルバネ７により回転力を付与されていて、シャッタ５をシェル２に設けた開口部６を閉じた状態に維持している。そして、記録媒体カートリッジ１をディスク装置に挿入すると、該ディスク記録再生装置に設けたシャッタ開放機構で前記コイルバネ７のバネ力に抗してインナーロータ４を回転させて、シャッタ５をシェル２に設けた開口部６を解放する位置に移動させる。ディスク装置時においては、前記コイルバネ７のバネ力でインナーロータ４が回転してシャッタ５が閉じる。【選択図】図３
2004164741.tif 000002
【特許請求の範囲】
【請求項１】
上下シェルからなるカートリッジ筺体内に、情報記録媒体と、インナーロータと、シャッタとを収納し、前記カートリッジ筺体の上下シェルの少なくても一方のシェルに、前記情報記録媒体の一部を径方向に臨ませる記録／再生用開口部と、前記情報記録媒体を駆動させるための中央開口部を設け、前記インナーロータを一方向に回転させることによって前記シャッタを駆動して前記記録／再生用開口部および中央開口部を開放する記録媒体カートリッジにおいて、
前記記録／再生用開口部および中央開口部を開放している位置から前記記録／再生用開口部および中央開口部を閉塞する位置への前記シャッタの駆動を引っ張りコイルバネ又は圧縮コイルバネで前記インナーロータを他方向に戻り回転させることによって行なうことを特徴とする記録媒体カートリッジ。
【請求項２】
前記引っ張りコイルバネ又は圧縮コイルバネは、前記インナーロータの外周部に巻き付けるように配置されていて、一端部が前記インナーロータに係止され、他端部が前記カートリッジ筺体に係止されていることを特徴とする請求項１に記載の記録媒体カートリッジ。
【請求項３】
前記引っ張りコイルバネ又は圧縮コイルバネは、線径０．２ｍｍ以下、コイル径１．５ｍｍ以下に形成されていることを特徴とする請求項１に記載の記録媒体カートリッジ。
【請求項４】
前記引っ張りコイルバネ又は圧縮コイルバネは、前記インナーロータの外周部の曲率に合わせて湾曲状に形成されていることを特徴とする請求項１に記載の記録媒体カートリッジ。
【発明の詳細な説明】
【０００１】
【発明の属する技術分野】
本発明は、上下シェル（上下ハーフ）からなるカートリッジ筺体内に、光ディスクや光磁気ディスク、磁気ディスク等のディスク状の情報記録媒体と、インナーロータと、シャッタとを収納し、前記インナーロータを一方向に回転させることにより、前記シャッタで前記カートリッジ筺体の上下シェルの少なくとも一方のシェルに設けた開口部を開放する記録媒体カートリッジに関するものであり、特に、前記記録／再生用開口部および中央開口部を開放している位置から前記記録／再生用開口部および中央開口部を閉塞する位置への前記シャッタの駆動を引っ張りコイルバネ又は圧縮コイルバネシャッタを使用して容易、かつ確実に行なうことができるようにしたものである。
【０００２】
【従来の技術】
図３０に示すように、記録媒体カートリッジ１０１として、ディスク１０２と、ディスク１０２を回転可能に収納したシェル（ケース）１０３と、シェル１０３に設けた記録再生用の開口部１０４等を開閉するシャッタ１０５と、前記開口部１０４を閉じる方向にシャッタ１０５を付勢しているシャッタスプリング１０６と、を備えていて、シャッタスプリング１０６によりシャッタ１０５をシェル１０３に対して直線的に移動させて記録再生用の開口部１０４等を開閉するタイプのものが広く使用されている。（例えば、特許文献１）。
【０００３】
前記シャッタ１０５をシェル１０３に対して直線的に移動させるものに対して、図３１に示すように、シャッタ１０５をシェル１０３に対して回動させて記録再生用の開口部１０４等を開閉するタイプの記録媒体カートリッジ２０１が開発されている。（例えば、特許文献２）。
【０００４】
【特許文献１】
特開平２−１６２２７５号公報
【０００５】
【特許文献２】
実開昭６１−５７３６４号公報
【０００６】
【発明が解決しようとする課題】
図３０に示す記録媒体カートリッジ１０１は、シャッタ１０５をシェル１０３に対して直線的に移動させて、記録再生用の開口部１０４等を開閉するので、少ないシャッタ移動量で記録再生用の開口部１０４等を開閉することができる。従って、シャッタスプリング１０６に捩りコイルバネを使用した場合でも、シャッタスプリング１０６によって確実にシャッタ１０５を閉じた状態に維持することができる。
【０００７】
これに対して、シャッタ１０５をシェル１０３に対して回動させて記録再生用の開口部１０４等を開閉する記録媒体カートリッジ２０１においてシャッタ１０５の外周側でシャッタスプリング１０６のバネ力を作用させて、シャッタ１０５を広角度に回動させようとすると、図３１に示すように、シャッタスプリング１０６としての捩りコイルバネが所謂全開状態になりバネ力が弱くなって、シャッタ１０５を閉じた状態に確実に維持することが困難になるという問題点があった。
【０００８】
本発明は、シャッタをシェルに対して回動させて記録再生用の開口部等を開閉するタイプの記録媒体カートリッジにおいて、シャッタを記録再生用の開口部等を閉じた状態に確実に維持することができるようにしたものである。
【０００９】
【課題を解決するための手段】
請求項１の発明は、上下シェルからなるカートリッジ筺体内に、情報記録媒体と、インナーロータと、シャッタとを収納し、前記カートリッジ筺体の上下シェルの少なくても一方のシェルに、前記情報記録媒体の一部を径方向に臨ませる記録／再生用開口部と、前記情報記録媒体を駆動させるための中央開口部を設け、前記インナーロータを一方向に回転させることによって前記シャッタを駆動して前記記録／再生用開口部および中央開口部を開放する記録媒体カートリッジにおいて、
前記記録／再生用開口部および中央開口部を開放している位置から前記記録／再生用開口部および中央開口部を閉塞する位置への前記シャッタの駆動を引っ張りコイルバネ又は圧縮コイルバネで前記インナーロータを他方向に回転させることによって行なうことにより、
前記シャッタの前記記録／再生用開口部および中央開口部を開放する方向への駆動を、記録媒体カートリッジの記録及び／又は再生を行なうディスク記録再生装置に設けたシャッタ開放機構で行ない、前記シャッタの前記記録／再生用開口部および中央開口部を閉塞する方向への駆動を前記コイルバネで行なうことにより、ディスク記録再生装置側にシャッタを閉じるための特別な機構を設ける必要性をなくした。
【００１０】
請求項２の発明は、請求項１に記載の記録媒体カートリッジにおいて、
前記引っ張りコイルバネ又は圧縮コイルバネを、前記インナーロータの外周部に巻き付けるように配置し、一端部を前記インナーロータに係止し、他端部を前記カートリッジ筺体に係止することにより、
前記シャッタの前記記録／再生用開口部および中央開口部を開放する方向への駆動は、前記ディスク記録再生装置に設けたシャッタ開放機構で前記引っ張りコイルバネ又は圧縮コイルバネのバネ力に抗して前記インナーロータを回転させることにより行ない、前記シャッタの前記記録／再生用開口部および中央開口部を閉塞する方向への駆動は、前記インナーロータの回転により畜勢された前記引っ張りコイルバネ又は圧縮コイルバネのバネ力により前記インナーロータを回転させることにより行なうようにした。
【００１１】
請求項３の発明は、請求項１に記載の記録媒体カートリッジにおいて、
前記引っ張りコイルバネ又は圧縮コイルバネを、線径０．２ｍｍ以下、コイル径１．５ｍｍ以下に形成することにより、
前記引っ張りコイルバネ又は圧縮コイルバネを、シェルとインナーロータの間の狭いスペースにも配置可能にした。
【００１２】
請求項４の発明は、請求項１に記載の記録媒体カートリッジにおいて、
前記引っ張りコイルバネ又は圧縮コイルバネを、前記インナーロータの外周部の曲率に合わせて湾曲状に形成することにより、
前記引っ張りコイルバネ又は圧縮コイルバネを、前記インナーロータの外周部に組付け易いものにした。
【００１３】
【発明の実施の形態】
以下、本発明の記録媒体カートリッジを、（１）記録媒体カートリッジの概略構成およびシャッタスプリングの構成、（２）カートリッジ筺体の構成、（３）情報記録媒体の構成、（４）インナーロータの構成、（５）シャッタの構成、（６）作用、（７）他の実施例の各項に分けて順に説明する。
【００１４】
（１）記録媒体カートリッジの概略構成およびシャッタスプリングの構成
図１は記録媒体カートリッジを上面側から見た斜視図、図２は記録媒体カートリッジを下面側から見た斜視図、図３は図１の分解斜視図、図４は図２の分解斜視図、図５は下面側から見たシャッタ開状態の斜視図である。
【００１５】
図１〜図５に示したように、記録媒体カートリッジ１は、カートリッジ筐体２内に、情報記録媒体３と、インナーロータ４と、シャッタ５と、を収納し、カートリッジ筐体（シェル）２に設けた開口部６をシャッタ５で開閉するようになっている。シャッタ５は、インナーロータ４を回転させることにより開閉駆動されるようになっている。
【００１６】
インナーロータ４は、シャッタスプリング（以下、コイルバネと称する）７により回転力を付与されている。
【００１７】
コイルバネ７は、インナーロータ４を回転させて、図６に示すように、一対のシャッタ部材５ａ，５ｂからなるシャッタ５をカートリッジ筐体２に設けた開口部６を閉じる第１の位置に移動させて、開口部６を閉じた状態に維持している。そして、記録媒体カートリッジ１を後に説明するディスク記録再生装置に挿入すると、該ディスク記録再生装置に設けたシャッタ開放機構で前記コイルバネ７のバネ力に抗して前記インナーロータ４を回転させて、図７に示すように、前記シャッタ５の一対のシャッタ部材５ａ，５ｂをカートリッジ筐体２に設けた開口部６を解放する第２の位置に移動させるようになっている。
【００１８】
図８に示すように、前記コイルバネ７には、線径０．２ｍｍ以下、コイル径１．５以下の引っ張りコイルバネが用いられ、インナーロータ４の外周部の曲率に合わせて湾曲状に形成されていて、長さ方向の両端にはリング状の係止部７ａ，７ｂが設けられている。
【００１９】
図８に示すように、コイルバネ７は、インナーロータ４の外周部に巻き付けるように配置されていて、一端の係止部７ａはカートリッジ筐体２側に係止され、他端の係止部７ｂはインナーロータ４に係止されている。
【００２０】
図１０に示すように、コイルバネ７の一端の係止部７ａは、カートリッジ筐体２の内面に突設されたボス状のスプリング係止部８に係止されている。スプリング係止部８の先端部には、係止部抜け防止用のフランジ部８ａが設けられている。
【００２１】
また、図１１に示すように、コイルバネ７の他端の係止部７ｂは、インナーロータ４のコイルバネ組付部４ａに設けたフック状のスプリング係止部９に係止されている。
【００２２】
前記コイルバネ組付部４ａは、インナーロータ４の外周面４ｂのリング部４１側の端部を環状に凹ませることにより形成されていて、コイルバネ７を組付けた場合に、コイルバネ７の外周部７ａがインナーロータ４のリング部４１の外周面４ｂから突出して、カートリッジ筐体２側に接触しないようになっている。
【００２３】
（２）カートリッジ筐体の構成
図１に示すように、カートリッジ筐体２は、上，下シェル２１，２２の周壁２１ａ，２２ａを突き合せることにより形成されている。
【００２４】
図１２に示すように、上シェル２１は、正面側が円弧形状とされた略四角形をなす薄い皿状部材からなり、外周縁部には周壁２１ａが設けられている。
【００２５】
周壁２１ａは、前縁部２１ｂと、一対の側縁部２１ｃ，２１ｄと、後縁部２１ｅからなっている。後縁部２１ｅの中央部には、下シェル２２との位置決めを行う位置決め用の凹部２１ｆが設けられている。
【００２６】
前記周壁２１ａの内側、詳しくは、前縁部２１ｂと一方の側縁部２１ｃのコーナー部分、一方の側縁部２１ｃと後縁部２１ｅのコーナー部分、後縁部２１ｅと他方の側縁部２１ｄのコーナー部分にはそれぞれ、円弧状リブ１４が設けられている。
【００２７】
円弧状リブ１４の内側には、リング状リブ１５が設けられている。このリング状リブ１５の内側は、ディスク３の収納部１６になっている。
【００２８】
リング状リブ１５の外側には、後に詳しく説明するインナーロータ４のリング部の先端が嵌合するリング状の凹部１７が設けられている。リング状の凹部１７の底面の前後対称位置（１８０°位相をずらした位置）にはインナーロータ４を下シェル２２から離間する方向に移動させるためのリフトアップ用の凸部１８が設けられている。リフトアップ用の凸部１８は、インナーロータ４のリング部４１の先端面に設けたインナーロータ側のリフトアップ用の凸部４６が乗り上げることにより、インナーロータ４を上シェル２１から離間する方向に移動させるようになっている。
【００２９】
図１３に示すように、下シェル２２は、上シェル２１と同様に正面側が円弧形状とされた略四角形をなす薄い皿状部材からなり、外周縁部には周壁２２ａが設けられている。
【００３０】
周壁２２ａは、前縁部２２ｂと、一対の側縁部２２ｃ，２２ｄと、後縁部２２ｅからなっている。後縁部２２ｅの中央部には、上シェル２１との位置決めを行う位置決め用の凸部２２ｆが設けられている。
【００３１】
前記周壁２２ａの内側、詳しくは、前縁部２２ｂと一方の側縁部２２ｃのコーナー部分、一方の側縁部２２ｃと後縁部２２ｅのコーナー部分、後縁部２２ｅと他方の側縁部２２ｄのコーナー部分には、円弧状リブ１９が設けられている。
【００３２】
下シェル２２の円弧状リブ１９の内側は、インナーロータ４の肉厚方向の略半分及び一対のシャッタ５を収納する収納部になっている。
【００３３】
上，下シェル２１，２２は、位置決め用の凹部２１ｆに位置決め用の凸部２２ｆを嵌合した状態で、互いの周壁２１ａ，２２ａを突き合せた状態で重ね合わされている。
【００３４】
下シェル２２には、中央部から前縁部２２ｂにかけて開口部６が設けられている。この開口部６は、ディスク回転駆動機構のターンテーブルと光学ピックアップ装置の光学ヘッドを情報記録媒体３に臨ませる記録／再生用開口部６ａと、ディスク回転駆動機構のターンテーブルを臨ませる中央開口部６ｂとからなっている。
【００３５】
また、図２に示すように、上，下シェル２１，２２の一方の側縁部２１ｄ，２２ｄの略中央部には、インナーロータ４の外周面のギヤ４３の一部を露出させるための開口窓３０が設けられている。この開口窓３０は、上シェル２１に設けた上シェル側切欠き部３０ａと、下シェル２２に設けた下シェル側切欠き部３０ｂとによって形成されている。更に、上，下シェル２１，２２の一方の側縁部２１ｃ，２２ｃには、その接合面に沿って前後方向に延びるガイド溝３１が設けられている。このガイド溝３１は、記録媒体カートリッジ１をディスク記録再生装置に装着する際の誤挿入防止等を目的として設けられたものである。このガイド溝３１は開口窓３０に連通している。
【００３６】
図３に示すように、下シェル２２の前縁部２２ｂと一方の側縁部２２ｄとのコーナー部には、ロック部材３２が回動可能に収納されるロック収納部３３が設けられている。このロック収納部３３は、下シェル２２のインナーロータ等の収納部に連通されていると共に、一方の側縁部２２ｄに設けられた開口穴３４を介してガイド溝３１に連通されている。更に、下シェル２２のロック収納部３３には、ロック部材３２を回動自在に支持する支持軸３５が、上シェル２１側へ突出するように設けられている。
【００３７】
ロック部材３２は、支持軸３５に回動自在に嵌合されて平面方向へ揺動可能とされたレバー状部材によって形成されている。ロック部材３２の長手方向の一端には複数の歯を有するストッパ部３６が設けられ、長手方向の他端には操作部３７が設けられている。更に、ロック部材３２には、ストッパ部３６と対向するよう同方向に突出されたバネ片３８が一体に設けられている。
【００３８】
前記ロック部材３２は、ストッパ部３６をインナーロータ等の収納部側に向けた状態で支持軸３５に嵌入され、バネ片３８が前縁部２２ｂの内面に当接される。このバネ片３８のバネ力によってストッパ部３６がインナーロータ等の収納部側に付勢されると共に、操作部３７が開口穴３４を内側から貫通してガイド溝３１内に突出される。また、図３に示すように、下シェル２２の一方の側縁部２２ｃと後縁部２２ｅのコーナー部分に設けた誤消去防止部材取付部９１には、光ディスク等の記録媒体に記録された情報の誤消去を防止するための誤消去防止部材９２が取り付けられている。
（３）情報記録媒体の構成
情報記録媒体３として、オーディオ情報としての音楽信号やビデオ情報としての映像信号及び音楽信号等の各種の情報信号が予め記録された再生専用型の光ディスク、或いはオーディオ情報やビデオ情報等の情報信号が１度だけ記録可能な追記型若しくは何度でも繰り返して記録可能な書換え型が記録可能型の光ディスクとして知られているが、実施例では記録可能型の光ディスク（以下、情報記録媒体を単に光ディスクと称する）が使用されている。
【００３９】
図３に示したように、光ディスク３は、中央部にセンタ穴３ａが設けられた厚みの薄い円板状の記録部材からなる。
【００４０】
光ディスク３は、チャッキングプレート押さえ１０により上シェル２１の内面に取り付けられたチャッキングプレート１１によりディスク記録再生装置のターンテーブルにチャッキングされて回転方向に一体化されて所定速度（例えば、ゾーン毎の角速度一定：ＺＣＡＶ）で回転される。
【００４１】
光ディスク３の一面には、記録再生装置に内蔵される光学ピックアップ装置の光学ヘッドが対向される情報記録の可能な情報記録領域２９ａと、情報記録の不可能な非記録領域２９ｂとが設けられている。非記録領域２９ｂは、光ディスク３の中央部のセンタ穴３ａの外側に所定幅で設けられた内側の非記録領域２９ｂと、光ディスク３の外周縁に所定幅で設けられた外側の非記録領域２９ｂとからなる。この内外側の非記録領域２９ｂ，２９ｂ間に情報記録領域２９ａが設けられている。
【００４２】
光ディスク３は、次に説明するインナーロータ４のリング部４１内に回転自在に収納される。なお、光ディスク３の基板の材質としては、例えば、ポリカーボネート（ＰＣ）、ポリメタクリレート（ＰＭＭＡ）等の合成樹脂が好適であるが、他の合成樹脂を用いることができることは勿論のこと、合成樹脂以外でも、ガラス材やアルミニウム合金等の各種の材料を用いることができる。
【００４３】
情報記録媒体としては、光ディスクに限定されるものではなく、薄い円盤の表面に、磁性薄膜層を形成して特定位置の磁化状態により情報を記憶するようにした磁気ディスク、同様に形成した磁性薄膜層に光ヘツドと磁気ヘツドを使用して情報を書き込み又は読み出すようにした光磁気ディスクその他の記憶媒体を適用することができる。
【００４４】
（４）インナーロータの構成
インナーロータ４は、図３に示すように、円盤状の薄い板材からなる平面部４０と、この平面部４０の外周縁に連続して設けられたリング部４１とを有している。インナーロータ４の平面部４０には、開口部４２が形成されている。この開口部４２は、前記下シェル２２の開口部６と同様に、ディスク回転駆動機構のターンテーブルと光学ピックアップ装置の光学ヘッドを情報記録媒体３に臨ませる記録／再生用開口部４２ａと、ディスク回転駆動機構のターンテーブルを臨ませる中央開口部４２ｂとからなっている。
【００４５】
図４に示すように、リング部４１は、上シェル２１の内面に設けられたリング状リブ１５の外径よりも稍大径の円筒状に形成され、前記リング状リブ１５の外周に回転自在に嵌合され、その先端部が前記リング状リブ１５の外側に設けられたリング状の凹部１７に挿入されるようになっている。
【００４６】
また、リング部４１の外周面には、周方向の所定範囲に渡って多数の歯を有するギア部４３が設けられている。このギア部４３は、インナーロータ４の回転角度よりも少々大きい角度範囲となるように設定されている。即ち、図１５に示すように、下シェル２２の開口部６に対してインナーロータ４の開口部４２が最大に傾いて、次に説明する一対のシャッタ部材５ａ，５ｂが完全に閉じた状態になると、ギア部４３の周方向の一端が開口窓３０の一端に位置（露出）し、次に説明するストッパ部４４ａに設けた突起係合凹部４４が開口窓３０の中央に位置（露出）する。また、図１４に示すように、インナーロータ４が所定角度回転して開口部４２と開口部６が重なり合った状態となり、一対のシャッタ部材５ａ，５ｂが完全に開いたときに、ギア部４３の周方向の他端が開口窓３０に位置（露出）する。
【００４７】
インナーロータ４のギア部４３の両側には、インナーロータ４の回転移動量を制限するストッパ部４４ａ，４４ｂが半径方向外側へ突出するように設けられている。
【００４８】
このようにギア部４３及びストッパ部４４ａ，４４ｂがリング部４１の外周面から外側へ突出しているため、上シェル２１及び下シェル２２の対応する部分には、ストッパ部４４ａ，４４ｂ等との接触を回避してその通過を許容するための逃げ溝４５ａ，４５ｂがそれぞれ設けられている。
【００４９】
図１４に示すように、インナーロータ４の開口部４２と下シェル２２の開口部６が重なり合った状態になると、ストッパ部４４ａの一端部が逃げ溝４５ａの一端部に設けたストッパ係合部４５ｃに係合してインナーロータ４の更なる回転を阻止する。また、図１５に示すように、インナーロータ４の開口部４２が下シェル２２の開口部６に対して最大に傾いた状態になると、ストッパ部４４ｂの一端部が開口部６の一端部に設けたストッパ係合部４５ｄに係合してインナーロータ４の更なる回転を阻止する。
【００５０】
更に、リング部４１の先端面には、周方向の２箇所にリフトアップ用の凸部４６が設けられている。これらインナーロータ側のリフトアップ用の凸部４６は、図１５に示すように、インナーロータ４の開口部４２が下シェル２２の開口部６に対して最大に傾いた状態において、図２２（Ａ）に示すように、上シェル２１のリング状の凹部１７内に設けたリフトアップ用の凸部１８に乗り上げるようになっている。  更に、インナーロータ４の平面部４０のリング部４１と反対側の面には、図４に示すように、一対のシャッタ部材５ａ，５ｂを平面方向へ回動自在に支持するための一対の支持軸４９，４９が設けられている。この一対の支持軸４９，４９は、開口部４２を中心にして点対称となるよう１個づつ設けられている。また、一対の支持軸４９，４９の近傍には、下シェル２２に設けた略Ｈ形状のリブ状の凸部１２ａと略同じ高さの台形状の嵌合解除用の凸部４８、４８が設けられている。これら嵌合解除用の凸部４８、４８は、シャッタ部材５ａ，５ｂが開口部６を閉じている図１５の位置（第１の位置）から開口部６を解放する図１４の位置（第２の位置）に移動する際に、リブ状の凸部１２ａを溝状の凹部１２ｂから抜き出すためのものである。
【００５１】
嵌合解除用の台形状の凸部４８、４８は、図１５に示す位置において、下シェル２２に設けた略Ｈ形状のリブ状の凸部１２ａの端部に設けた第２，第４の背高部１２ｅ，１２ｇの側方に位置している。
【００５２】
（５）シャッタの構成
図１６及び図１７に示すように、シャッタ５は、同一の形状及び大きさに形成された一対のシャッタ部材５ａ，５ｂによって構成されている。前記一対のシャッタ部材５ａ，５ｂは、前記下シェル２２に設けた略Ｈ形状のリブ状の凸部１２ａの第１〜第４の背高部１２ｄ〜１２ｇ（図１３参照）の高さと略同じ板厚の板体によって形成されている。
【００５３】
前記一対のシャッタ部材５ａ、５ｂの弦側辺の略中央部には、弦線と直交する方向に所定の長さで形成された段部５０が設けられており、この段部５０を介してその両側に凸側接合部５０ａと凹側接合部５０ｂとが形成されている。更に、シャッタ部材５ａ，５ｂの各接合部５０ａ，５０ｂには、弦の延在方向と直交する方向に庇状に突出する庇部５１ａ，５１ｂがそれぞれ設けられている。かくして、一対のシャッタ部材５ａ，５ｂにおいて、互いの凸側接合部５０ａの端面と凹側接合部５０ｂの端面とがそれぞれ対向され、凸側接合部５０ａの庇部５１ａが凹側接合部５０ｂの庇部５１ｂにそれぞれ重なり合わされる。このシャッタ部材５ａ，５ｂの弦側辺の凸側接合部５０ｂ側の端部である軸組付部５０ｃには、軸受孔５２がそれぞれ設けられている。
【００５４】
シャッタ部材５ａ、５ｂの弦側辺の凹側接合部５０ｂ側の端部には、それぞれ下シェル２２の略Ｈ形状のリブ状の凸部１２ａの端部に設けた第２の背高部１２ｅ又は第４の背高部１２ｇを導入する切欠部５０ｄが設けられている。
【００５５】
前記軸受孔５２にインナーロータ４の平面部４０の支持軸４９を嵌合させることにより、各シャッタ部材５ａ，５ｂがインナーロータ４の平面部４０にそれぞれ回動自在に取り付けられる。この際、一対のシャッタ部材５ａ，５ｂは、互いの弦側辺を対向させて取り付けるようにする。その結果、図１８に示すように、一対のシャッタ部材５ａ、５ｂをそれぞれ外側へ離反させるように回動させたとき、各シャッタ部材５ａ，５ｂは、インナーロータ４の開口部４２を挟んで、その両側部上に重なるように載置される。一方、一対のシャッタ部材５ａ，５ｂをそれぞれ内側へ回動させて互いの接合部５０ａ，５０ｂをそれぞれ当接させることにより、図１９に示すように、開口部４２の中央部が一対のシャッタ部材５ａ，５ｂによって閉じられる。
【００５６】
更に、図１６〜図１９に示すように、シャッタ部材５ａ，５ｂの凹側接合部５０ｂ側には、このシャッタ部材５ａ，５ｂを開閉動作させるための長孔（開閉溝）５３がそれぞれ設けられている。各長孔５３は、それらが設けられているシャッタ部材５ａ，５ｂの軸受孔５２を中心に放射方向へ延びるように形成されている。この長孔５３には、下シェル２２のボス状の凸部２０が摺動可能に係合される。更に、各長孔５３の外側の端部には、周囲に切り込みを入れることによって形成された弾性片５４と、ボス状の凸部２０を逃がすための凹部５３ａとが設けられている。また、シャッタ部材５ａ，５ｂの円弧側辺には閉鎖用の凸片５５が設けられている。
【００５７】
図２２に示すように、シャッタを閉じた状態において、前記シャッタ部材５ａの凸片５５は、下シェル２２の第１の背高部１２ｄに当接し、シャッタ部材５ｂの凸片５５は、下シェル２２の第３の背高部１２ｆに当接して、これらの間の隙間を塞ぐようになっている。
【００５８】
また、図１８、図１９に示すように、前記シャッタ部材５ａ，５ｂの下シェル２２との摺接面には、略Ｈ形状のリブ状の凸部１２ａと係合して、防塵部を構成する溝状の凹部１２ｂが設けられている。溝状の凹部１２ｂには、シャッタ部材５ａ，５ｂが開口部４２を閉じている状態において、下シェル２２のリブ状の凸部１２ａが嵌合するようになっている。
【００５９】
シャッタ部材５ａ，５ｂの材質としては、例えば、ＡＢＳ樹脂（アクリロニトリル・ブタジエン・スチレン樹脂）、ＨＩＰＳ（高衝撃性ポリスチレン）、ＰＯＭ（ポリアセタール）等の合成樹脂が用いられ、更には摺動性が付与されたタイプの材料が好適である。しかしながら、その他の合成樹脂を適用できることは勿論のこと、アルミニウム合金、ステンレス鋼その他の金属材料を用いることもできる。
【００６０】
（６）記録媒体カートリッジの作用
次に、記録媒体カートリッジの作用をディスク記録再生装置の構成と共に説明する。ディスク記録再生装置６０は、図２０に示すように、中空の筐体からなる外装ケース６１と、この外装ケース６１内に収納された記録再生装置本体（図示省略）等を備えて構成されている。外装ケース６１は、上面及び前面に開口されたケース本体６２と、このケース本体６２の上面を閉じるように上部に着脱可能に取り付けられたケース蓋体６３と、ケース本体６２及びケース蓋体６３の前面を閉じるように前部に着脱可能に取り付けられた前面パネル６４等を備えている。
【００６１】
ケース本体６２の４箇所には、下方に突出する脚体６２ａが設けられている。これらの脚体６２ａによってディスク記録再生装置６０が支えられている。前面パネル６４は、横長とされた板状部材からなり、その上部には横長のカートリッジ出入口６５が設けられている。カートリッジ出入口６５は、記録媒体カートリッジ１の正面側の大きさ略同程度の大きさに形成されている。このカートリッジ出入口６５は、その内側に配置された開閉扉６６によって常時は閉じられている。
【００６２】
この開閉扉６６を記録媒体カートリッジ１の前部で押圧し、所定の位置まで差し込む。これにより、図示しないローディング機構によって記録媒体カートリッジ１が自動的に取リ込まれる。そして、ローディング機構で搬送された記録媒体カートリッジ１は、ディスク記録再生装置６０内の所定位置で位置決めされて固定される。これと同時に又は前後して、ディスク記録再生装置６０に設けられているシャッタ開閉機構によってシャッタ５が操作され、開口部６，４２が開放される。
【００６３】
これを具体的に説明すると、記録媒体カートリッジ１が所定の位置まで挿入されると、図２１に示すように、ディスク記録再生装置６０に内蔵されたシャッタ開閉機構のラック棒７０が、記録媒体カートリッジ１の一方の側面部に設けたガイド溝３１内に入り込む。これにより、ガイド溝３１内に突出されているロック部材３２の操作部３７が、バネ片３８の付勢力に抗してラック棒７０の押圧力によりロック収納部３３内に押し込められて、ロック部材３２によるインナーロータ４のロックが解除されると共に、前記ラック棒７０に弾性片７０ｂを介して設けた回転操作突起７０ｃがインナーロータ４に設けた突起係合凹部４４に係合して、インナーロータ４を回転させる。更に、ラック棒７０が相対的に前進することにより、そのギア部７０ａの先端がインナーロータ４のギア部４３に噛み合わされる。
【００６４】
このギア部４３がラック棒７０のギア部７０ａに噛み合うことにより、ラック棒７０の移動量に応じてインナーロータ４が回転される。インナーロータ４の回転により前記コイルバネ７が引き伸ばされていって、バネ力が蓄勢されていく。
【００６５】
図２１は、ラック棒７０のギア部７０ａがインナーロータ４のギア部４３に噛み合う前の状態を示すものである。この状態では、一対のシャッタ部材５ａ，５ｂの凸側接合部５０ａ及び凹側接合部５０ｂは互いに突き当てられて密着されている。このとき、インナーロータ４の開口部４２は、下シェル２２の開口部６に対して傾斜された位置にあるため、両開口部６，４２の重なり合った中央部分のみが開口されるが、その開口部は一対のシャッタ部材５ａ，５ｂによって閉じられている。従って、開口部６・４２の重複部分から塵埃がディスク収納部内に入り込む虞れがない。
【００６６】
更に、開口部６と開口部４２とが鋭角で接近している部分には、一対のシャッタ部材５ａ，５ｂの軸取付部５０ｃが介在されており、これら軸取付部５０ｃがリブ状の凸部１２ａの第２，第４の背高部１２ｅ，１２ｇの内側に位置して隙間を消滅させている。また、第１，第３の背高部１２ｄ，１２ｆの内側には閉鎖用の突片５５が介在されて隙間を消滅させている。更に、一対のシャッタ部材５ａ，５ｂに設けた長孔５３は、シャッタ部材５ａ，５ｂが重なっている下シェル２２によって閉じられている。更にまた、図２１に示したように、開口部６を囲むように下シェル２２に設けた略Ｈ形状のリブ状の凸部１２ａがシャッタ部材５ａ，５ｂに設けた溝状の凹部１２ｂに嵌まり込んでクランク状の防塵部が形成されて、開口部６，４２を介して塵埃がディスク収納部内に侵入するのを防止する。
【００６７】
この状態から、記録媒体カートリッジ１の挿入動作に対応してラック棒７０がガイド溝３１内に入り込み、そのギア部７０ａとインナーロータ４のギア部４３との噛み合いが開始されると、インナーロータ４が時計方向に回転される。この場合、インナーロータ４が回転動作を開始する初期状態では、図２１及び図２２（Ａ）に示すように、インナーロータ４のリフトアップ用の凸部４６が上シェル２１のリフトアップ用の凸部１８に乗り上げてインナーロータ４との間で一対のシャッタ部材５ａ、５ｂを挟持した状態となっているため、インナーロータ４の回転動作には比較的大きな力が必要とされる。リフトアップ用の凸部１８，４６相互の乗り上げによる大きな摩擦力に抗してインナーロータ４を回転させることにより、図２２（Ｂ）に示すように、リフトアップ用の凸部１８，４６相互の係合が外れ摩擦力が消滅する。そのため、これ以後のインナーロータ４の回転動作は、極めて軽く且つスムースに行うことができる。
【００６８】
インナーロータ４を回転により、インナーロータ４の底面に設けた嵌合解除用の台形状の凸部４８，４８が下シェル２２のリブ状の凸部１２ａの第１，第３の背高部１２ｄ，１２ｆに乗り上げて、下シェル２２に対してインナーロータ４が持ち上げられた状態になると共に、シャッタ部材５ａ，５ｂも上昇して、リブ状の凸部１２ａから溝状の凹部１２ｂが抜け出た状態になるのである。
【００６９】
このとき、シャッタ部材５ａ，５ｂの各軸受孔５２は、インナーロータ４の回転によって同様に回転される一方、他端側に設けた長孔５３には下シェル２２のボス状の凸部２０，２０がそれぞれ摺動可能に係合されている。
【００７０】
前記一対のボス状の凸部２０，２０は、下シェル２２に設けられていて移動することがない。その一方、長孔５３は、シャッタ部材５ａ，５ｂの回動に追従してボス状の凸部２０，２０との間に相対移動が可能なように軸受孔５２とボス状の凸部２０を結ぶ方向Ｓに延在されているので、シャッタ部材５ａ，５ｂの回動量に応じてボス状の凸部２０が長孔５３内を軸受孔５２側に相対移動する。これにより、各シャッタ部材５ａ，５ｂにおいて軸受孔５２が対応するボス状の凸部２０側に移動する。その結果、図２３の状態から、図２４、図２５及び図２６の状態を経て、図２７に示すように、各シャッタ部材５ａ，５ｂがインナーロータ４の開口部４２の両側部に移動する。これにより、上下の開口部６，４２が完全に開放される。そのため、ディスク収納部内に収納されている光デイスク３の一部が開口部６，４２によって露出される。そして、前記記録再生装置本体６２による情報信号の再生又は記録が実行される。
【００７１】
情報信号の再生又は記録の後、ディスク記録再生装置６０に設けられるカートリッジ排出ボタン（図示せず）を操作することにより、ローディング機構の作動を介して記録媒体カートリッジ１がディスク記録再生装置６０から排出される。
【００７２】
記録媒体カートリッジ１が排出されると、前記蓄勢されていたコイルバネ７のバネ力によりインナーロータ４は、前記ディスク記録再生装置６０への挿入時と逆方向に回転してシャッタ５を自動的に閉じる。従って、記録媒体カートリッジ１の排出時に前記ディスク記録再生装置６０のシャッタ開放機構のラック棒７０のギア部７０ａをインナーロータ４のギア部４３に噛合させて、インナーロータ４を回転させる必要がなくなり、記録媒体カートリッジ１の排出作業を簡単かつ迅速に行なうことが出来ると共に、インナーロータ４のギア部４３の摩耗を防止することが出来るのである。
【００７３】
（７）他の実施例
前記実施例においては、コイルバネ７に円弧状の引っ張りコイルバネを使用した場合を示したが、図２８に示すように、コイルバネ７は、一直線状のものであっても良い。また、コイルバネ７は、引っ張りコイルバネでなく圧縮コイルバネであってもよい。また、前記実施例においては、図１１に示すように、前記コイルバネ組付部４ａをインナーロータ４のリブ部４１の外周面４ｂの平面部４０側の端部を環状に凹ませることにより形成し、コイルバネ７を組付けた場合に、コイルバネ７の外周部７ａがインナーロータ４のリブ部４１の外周面４ｂから突出して、カートリッジ筐体２に干渉しないようにしているが、図２９に示すように、インナーロータ４とカートリッジ筐体２の間の隙間Ｇを十分に取って、コイルバネ７の外周部７ａがカートリッジ筐体２の内面等に接触しないようにしても良い。
【００７４】
【発明の効果】
本発明の記録媒体カートリッジには次に述べるような効果がある。
（１）請求項１の発明は、前記記録／再生用開口部および中央開口部を開放している位置から前記記録／再生用開口部および中央開口部を閉塞する位置への前記シャッタの駆動を引っ張りコイルバネ又は圧縮コイルバネで前記インナーロータを他方向に回転させることによって簡単かつ確実に行なうことができる。また、コイルバネのバネ力でシャッタを閉じた状態に維持することができる。
（２）請求項２の発明は、シャッタの前記記録／再生用開口部および中央開口部を開放する方向への駆動は、前記ディスク記録再生装置に設けたシャッタ開放機構で前記引っ張りコイルバネ又は圧縮コイルバネのバネ力に抗して前記インナーロータを回転させることにより行ない、前記シャッタの前記記録／再生用開口部および中央開口部を閉塞する方向への駆動は、前記インナーロータの回転により畜勢された前記引っ張りコイルバネ又は圧縮コイルバネのバネ力により前記インナーロータを回転させて行なうことができる。
（３）請求項３の発明は、引っ張りコイルバネ又は圧縮コイルバネを、線径０．２ｍｍ以下、コイル径１．５ｍｍ以下に形成したので、前記引っ張りコイルバネ又は圧縮コイルバネを、狭いスペースにも配置可能になる。
（４）請求項４の発明は、引っ張りコイルバネ又は圧縮コイルバネを、前記インナーロータの外周部の曲率に合わせて湾曲状に形成したので、前記引っ張りコイルバネ又は圧縮コイルバネが、前記インナーロータの外周部に組付け易いものになる。
【図面の簡単な説明】
【図１】記録媒体カートリッジを上面側から見た斜視図。
【図２】記録媒体カートリッジを下面側から見た斜視図。（シャッタ閉状態）
【図３】図１の分解斜視図。
【図４】図２の分解斜視図。
【図５】記録媒体カートリッジを下面側から見た斜視図。（シャッタ閉状態）
【図６】シャッタが閉じられた状態を下面側から見たカートリッジの要部の底面図。
【図７】シャッタが開かれた状態を下面側から見たカートリッジの要部の底面図。
【図８】シャッタスプリングの斜視図。
【図９】シャッタスプリング組付け部分の拡大平面図。
【図１０】（Ａ）はシャッタスプリングの一端とシェル側との係合部（図９のＡ部分）の斜視図、（Ｂ）は（Ａ）のＣ−Ｃ断面図。
【図１１】（Ａ）はシャッタスプリングの他端とインナーロータ側との係合部（図９のＢ部分）の斜視図、（Ｂ）は（Ａ）のＤ−Ｄ断面図。。
【図１２】上シェルの内面側の平面図。
【図１３】下シェルの内面側の平面図。
【図１４】下シェルにインナーロータを組み付けて両者の開口部の位置を合わせた状態の平面図。
【図１５】下シェルにインナーロータを組み付けて両者の開口部の位置をずらした状態の平面図。
【図１６】シャッタ部材を上面側から見た斜視図。
【図１７】シャッタ部材を下面側から見た斜視図。
【図１８】シャッタ部材をインナーロータに取り付けて開口部を開いた状態の斜視図。
【図１９】シャッタ部材をインナーロータに取り付けて開口部を閉じた状態の斜視図。
【図２０】ディスク記録再生装置の斜視図。
【図２１】カートリッジ筐体とシャッタ機構との動作関係を示し、シャッタ部材で開口部を完全に閉じた状態を示す説明図。
【図２２】（Ａ）はインナーロータのリフトアップ用の凸部が上シェルのリフトアップ用の凸部に乗り上げた状態を示す断面図、（Ｂ）はインナーロータと上シェルのリフトアップ用の凸部の係合が外れた状態を示す断面図。
【図２３】図２１の状態からインナーロータが少し回転して一対のシャッタ部材が少し開いた状態を示す説明図。
【図２４】図２３の状態からインナーロータが更に少し回転して一対のシャッタ部材が更に少し開いた状態を示す説明図。
【図２５】図２４の状態からインナーロータが更に回転して一対のシャッタ部材が更に開いた状態を示す説明図。
【図２６】図２５の状態からインナーロータが更に回転して一対のシャッタ部材が更に開いた状態を示す説明図。
【図２７】図２６の状態からインナーロータが更に回転して一対のシャッタ部材が完全に開いた状態を示す説明図。
【図２８】シャッタスプリングの他の実施例の斜視図。
【図２９】シャッタスプリングの他の取付例を示す断面図。
【図３０】従来例の平面図。
【図３１】他の従来例の平面図。
【符号の説明】
１…記録媒体カートリッジ、２…カートリッジ筐体（シェル）、３…光ディスク（情報記録媒体）、４…インナーロータ、５…シャッタ、５ａ，５ｂ…一対のシャッタ部材、６…開口部、６ａ…記録／再生用開口部、６ｂ…中央開口部、７…シャッタスプリング、２１，２２…上下シェル（上下ハーフ）、４２…開口部、４２ａ…記録／再生用開口部、４２ｂ…中央開口部。
【図１】
2004164741.tif 000003
【図２】
2004164741.tif 000004
【図３】
2004164741.tif 000005
【図４】
2004164741.tif 000006
【図５】
2004164741.tif 000007
【図６】
2004164741.tif 000008
【図７】
2004164741.tif 000009
【図８】
2004164741.tif 000010
【図９】
2004164741.tif 000011
【図１０】
2004164741.tif 000012
【図１１】
2004164741.tif 000013
【図１２】
2004164741.tif 000014
【図１３】
2004164741.tif 000015
【図１４】
2004164741.tif 000016
【図１５】
2004164741.tif 000017
【図１６】
2004164741.tif 000018
【図１７】
2004164741.tif 000019
【図１８】
2004164741.tif 000020
【図１９】
2004164741.tif 000021
【図２０】
2004164741.tif 000022
【図２１】
2004164741.tif 000023
【図２２】
2004164741.tif 000024
【図２３】
2004164741.tif 000025
【図２４】
2004164741.tif 000026
【図２５】
2004164741.tif 000027
【図２６】
2004164741.tif 000028
【図２７】
2004164741.tif 000029
【図２８】
2004164741.tif 000030
【図２９】
2004164741.tif 000031
【図３０】
2004164741.tif 000032
【図３１】
2004164741.tif 000033